(57)【特許請求の範囲】
【請求項１】
高電圧を高圧配電線に送り出す変電所と、
前記高圧配電線上に設けられ、配下に前記高電圧を供給するノードと、
変圧比を調整する変圧器タップを備え、前記ノードから前記高電圧を受けて低電圧に変圧し、当該低電圧を低圧配電線に出力する変圧器と、
を備える配電系統について、各ノードで適正電圧を確保するための適正電圧管理方法であって、次のステップ（Ｉ）及び（ＩＩ）を実行することを特徴とする適正電圧管理方法。
（Ｉ）設定された複数の時間帯のそれぞれについて、次のステップ（Ａ）及び（Ｂ）を実行する。
（Ａ）各ノードにおける該当する時間帯での前記低電圧における負荷推定結果による電圧降下幅の最大値及び最小値を計算する。
（Ｂ）前記変電所からの送出し電圧と各ノードの負荷推定結果による各ノードの高圧配電線電圧の電圧推定結果、前記ノード及び前記変圧器の基準タップの、設定された複数の組み合わせそれぞれについて、次のステップ（ａ）及び（ｂ）を実行する。
（ａ）該当する組み合わせにおける前記ノードにおける前記電圧降下幅の最大値及び最小値、並びに、該当する組み合わせにおける前記変圧器タップの基準タップに基づいて、前記高圧配電線側の適正電圧範囲の上限値及び下限値を計算する。
（ｂ）該当する組み合わせにおける前記送出し電圧と各ノードの負荷推定結果による各ノードの高圧配電線電圧の電圧推定結果が、計算された前記適正電圧範囲の上限値及び下限値の間に含まれるか否かを判定し、当該判定結果を記録する。
（ＩＩ）前記複数の時間帯及び前記複数の組み合わせに関して記録された前記判定結果に基づいて、前記複数の時間帯の全体を通じて前記送出し電圧と各ノード負荷による各ノードの高圧配電線電圧の推定結果が前記適正電圧範囲の上限値及び下限値の間に含まれるような変圧器の基準タップを特定し、当該変圧器の基準タップに基づいて各時間帯における適正な前記送出し電圧を特定する。
【請求項２】
高電圧を高圧配電線に送り出す変電所と、
前記高圧配電線上に設けられ、配下に前記高電圧を供給するノードと、
変圧比を調整する変圧器タップを備え、前記ノードから前記高電圧を受けて低電圧に変圧し、当該低電圧を低圧配電線に出力する変圧器と、
を備える配電系統について、各ノードで適正電圧を確保するためにコンピュータシステムが行う適正電圧管理方法であって、
前記コンピュータシステムが次のステップ（Ｉ）及び（ＩＩ）を実行することを特徴とする適正電圧管理方法。
（Ｉ）設定された複数の時間帯のそれぞれについて、次のステップ（Ａ）及び（Ｂ）を実行する。
（Ａ）各ノードにおける該当する時間帯での前記低電圧における負荷推定結果による電圧降下幅の最大値及び最小値を計算する。
（Ｂ）前記変電所からの送出し電圧と各ノードの負荷推定結果による各ノードの高圧配電線電圧の推定結果、前記ノードに固有のノード番号及び前記変圧器の基準タップの、設定された複数の組み合わせそれぞれについて、次のステップ（ａ）及び（ｂ）を実行する。
（ａ）該当する組み合わせにおける前記ノード番号の前記ノードにおける前記電圧降下幅の最大値及び最小値、並びに、該当する組み合わせにおける前記変圧器の基準タップに基づいて、前記高圧配電線側の適正電圧範囲の上限値及び下限値を計算する。
（ｂ）該当する組み合わせにおける前記送出し電圧と各ノードの負荷推定結果による各ノードの高圧配電線電圧の電圧推定結果が、計算された前記適正電圧範囲の上限値及び下限値の間に含まれるか否かを判定し、当該判定結果を記憶する。
（ＩＩ）前記複数の時間帯及び前記複数の組み合わせに関して記録された前記判定結果に基づいて、前記複数の時間帯の全体を通じて前記送出し電圧と各ノード負荷による各ノードの高圧配電線電圧の推定結果が前記適正電圧範囲の上限値及び下限値の間に含まれるような変圧器の基準タップを特定し、当該変圧器の基準タップに基づいて各時間帯における適正な前記送出し電圧を特定する。
【請求項３】
高電圧を高圧配電線に送り出す変電所と、
前記高圧配電線上に設けられ、配下に前記高電圧を供給するノードと、
変圧比を調整する変圧器タップを備え、前記ノードから前記高電圧を受けて低電圧に変圧し、当該低電圧を低圧配電線に出力する変圧器と、
を備える配電系統について、各ノードで適正電圧を確保するための適正電圧管理システムであって、
所定の処理部を備え、
前記所定の処理部は、当該所定の処理部を構成するモジュールとして、次の手段（Ｉ）及び（ＩＩ）を備える
ことを特徴とする適正電圧管理システム。
（Ｉ）設定された複数の時間帯のそれぞれについて、次の手段（Ａ）及び（Ｂ）を備える。
（Ａ）各ノードにおける該当する時間帯での前記低電圧における負荷推定結果による電圧降下幅の最大値及び最小値を計算する。
（Ｂ）前記変電所からの送出し電圧と各ノードの負荷推定結果による各ノードの高圧配電線電圧の推定結果、前記ノードに固有のノード番号及び前記変圧器の基準タップの、設定された複数の組み合わせそれぞれについて、次の手段（ａ）及び（ｂ）を備える。
（ａ）該当する組み合わせにおける前記ノード番号の前記ノードにおける前記電圧降下幅の最大値及び最小値、並びに、該当する組み合わせにおける前記変圧器の基準タップに基づいて、前記高圧配電線側の適正電圧範囲の上限値及び下限値を計算する。
（ｂ）該当する組み合わせにおける前記送出し電圧が、計算された前記適正電圧範囲の上限値及び下限値の間に含まれるか否かを判定し、当該判定結果を記憶する。
（ＩＩ）前記複数の時間帯及び前記複数の組み合わせに関して記憶された前記判定結果に基づいて、前記複数の時間帯の全体を通じて前記送出し電圧と各ノード負荷による各ノードの高圧配電線電圧の推定結果が前記適正電圧範囲の上限値及び下限値の間に含まれるような変圧器の基準タップを特定し、当該変圧器の基準タップに基づいて各時間帯における適正な前記送出し電圧を特定する。
【発明の詳細な説明】
【技術分野】
【０００１】
本発明は、配電線における適正電圧の管理方法及びそのシステムに関する。
【背景技術】
【０００２】
従来の電圧管理方法において、変圧器タップの適正電圧範囲は、統計的な手法により決められている。例えば、特許文献１に開示された方法では、日負荷データの取得可能な需要家からデータを収集し、想定対象需要家と日負荷計測あり需要家との間の形状及び絶対量について、相関関係を調査する。そして、形状及び絶対量の両方の相関係数がともに高く、かつ、閾値以上となる類似需要家の日負荷計測データに基づいて、契約種別及び使用電力量による負荷予想を行う。
【特許文献１】特開２００５−２３７１８７号公報
【発明の開示】
【発明が解決しようとする課題】
【０００３】
従来の電圧管理方法では、低圧配電線路における電圧降下幅を予測することが困難であったため、その電圧降下幅として、統計学的に決められた（例えば、サンプル調査の結果による）値を一律に設定していた。このため、低圧配電線の亘長や需要家の位置が考慮されず、高圧配電線における適正電圧範囲を適正化することが困難であった。
【０００４】
本発明は、上記課題を鑑みてなされたものであり、その主たる目的は、低圧配電線の電圧を適正に管理することにある。
【課題を解決するための手段】
【０００５】
上記課題を解決するために、本発明は、高電圧を高圧配電線に送り出す変電所と、前記高圧配電線上に設けられ、配下に前記高電圧を供給するノードと、変圧比を調整する変圧器タップを備え、前記ノードから前記高電圧を受けて低電圧に変圧し、当該低電圧を低圧配電線に出力する変圧器と、を備える配電系統について、各ノードで適正電圧を確保するための適正電圧管理方法であって、次のステップ（Ｉ）及び（ＩＩ）を実行することを特徴とする。すなわち、
（Ｉ）設定された複数の時間帯のそれぞれについて、次のステップ（Ａ）及び（Ｂ）を実行する。  
（Ａ）各ノードにおける該当する時間帯での前記低電圧における負荷推定結果による電圧降下幅の最大値及び最小値を計算する。  
（Ｂ）前記変電所からの送出し電圧と各ノードの負荷推定結果による各ノードの高圧配電線電圧の推定結果、前記ノード及び前記変圧器の基準タップの、設定された複数の組み合わせそれぞれについて、次のステップ（ａ）及び（ｂ）を実行する。  
（ａ）該当する組み合わせにおける前記ノードにおける前記電圧降下幅の最大値及び最小値、並びに、該当する組み合わせにおける前記変圧器の基準タップに基づいて、前記高圧配電線側の適正電圧範囲の上限値及び下限値を計算する。  
（ｂ）該当する組み合わせにおける前記送出し電圧が、計算された前記適正電圧範囲の上限値及び下限値の間に含まれるか否かを判定し、当該判定結果を記録する。  
（ＩＩ）前記複数の時間帯及び前記複数の組み合わせに関して記録された前記判定結果に基づいて、前記複数の時間帯の全体を通じて前記送出し電圧と各ノード負荷による各ノードの高圧配電線電圧の推定結果が前記適正電圧範囲の上限値及び下限値の間に含まれるような変圧器の基準タップを特定し、当該変圧器の基準タップに基づいて各時間帯における適正な前記送出し電圧を特定する。
【０００６】
この方法によれば、ノードごとに低圧配電線の亘長や、当該ノードから電力供給を受ける所定時間帯の負荷の状況等を考慮して電圧降下幅の最大値及び最小値を計算し、それらの値に基づいて高圧配電線側の適正電圧範囲を求め、その適正電圧範囲に変電所からの送出し電圧と各ノード負荷による各ノードの高圧配電線電圧の推定結果が含まれるか否かを判定する。これによれば、ノードごとに低圧配電線の亘長や当該ノードから給電を受ける負荷の状況に応じて、適正に低圧配電線の電圧管理を行うことができる。
【０００７】
なお、本発明は、コンピュータシステムによる適正電圧管理方法及ぶそのコンピュータシステムである適正電圧管理システムを含む。その他、本願が開示する課題及びその解決方法は、発明を実施するための最良の形態の欄、及び図面により明らかにされる。
【発明の効果】
【０００８】
本発明によれば、低圧配電線の電圧を適正に管理することができる。
【発明を実施するための最良の形態】
【０００９】
以下、図面を参照しながら、本発明を実施するための最良の形態を説明する。本発明の実施の形態に係る適正電圧管理方法では、既存の技術（例えば、特許文献１に開示された技術）を用いて、まず、高圧配電線に沿った電圧の変動を推定する。そして、推定した高圧配電線の電圧変動（変圧器の電源側）に基づいて各ノードの変圧器の基準タップを決定する。具体的には、変圧器の低圧配電線上に設けられた需要家までの距離や需要家の負荷の状況に応じて、各ノードにおける電圧降下幅を推定し、その電圧降下幅及び変圧器の基準タップに基づいて高圧配電線側の適正電圧範囲を計算する。そして、変電所からの送出し電圧と各ノード負荷による各ノードの高圧配電線電圧の推定結果が適正電圧範囲に含まれるか否かを判定し、その判定結果に基づいて、低圧配電線の電圧（変圧器の負荷側）が適正になるように変圧器の基準タップを特定し、その変圧器の基準タップに従って送出し電圧を特定する。
【００１０】
≪配電系統の構成≫
図１は、本実施の形態の適正電圧管理方法に係る配電系統の構成及び高圧配電線の電圧変動の例を示す図である。図１（ａ）は、配電系統の構成を示す。同図に示すように、配電系統１は、配電用変電所（変電所）２、高圧配電線３、ノード４、変圧器５及び低圧配電線６を備える。配電用変電所２は、高圧配電線３に接続され、高圧配電線３及びノード４を通じて各変圧器５に高電圧の電力を供給する。なお、配電用変電所２の供給する電圧を送出し電圧という。ノード４は、高圧配電線３上に設けられる給電箇所であり、当該ノード４の配下にある変圧器５に高電圧の電力を供給する。変圧器５は、ノード４から受けた高電圧を低電圧に変圧し、その低電圧を、低圧配電線１４を通じて需要家の負荷に供給する。変圧器５には、変圧比を調整するために１次側（電源側）のコイルの巻線数を選択する機構であるタップ（変圧器の基準タップ）が設けられていて、そのタップによって２次側（負荷側）の定格電圧である１０５［Ｖ］に対する１次側の基準タップ電圧が決定される。
【００１１】
配電用変電所２は、送電線２１、変圧器２２及び遮断機２３を備える。送電線２１は、送電用変電所からの電力を変圧器２２に供給する。変圧器２２は、送電線２１から供給された電力を受けて、所定の高電圧に変圧し、さらに高電圧の電力を遮断機２３に供給する。遮断機２３は、変圧器２２から受けた高電圧の電力を高圧配電線３に供給する。
【００１２】
≪適正電圧管理方法の概要≫
各ノード４における配電用変電所２からの電圧降下幅は、配電用変電所２から当該ノード４までの高圧配電線３の線路亘長や、当該ノード４の配下にある変圧器５から電力の供給を受ける負荷の仕様、状況等に応じて変化する。そこで、公知の技術（例えば、特許文献１に開示された技術）により、電圧降下の最大値ΔＶｍａｘ及び最小値ΔＶｍｉｎを計算する。図１（ａ）には、その例がノード４（ノード番号１〜５）ごとに示されている。ノード４では、電圧降下があったとしても、相応の電圧を配下の変圧器５に供給可能とする必要がある。例えば、ノード４が配電用変電所２から離れたところにある場合には、電圧降下が大きいと考えられる。その場合、低圧配電線６を介して変圧器５につながる負荷が定格電圧を受けるためには、定格電圧に電圧降下分を上乗せした電圧が変圧器５の２次側に必要になるので、１次側の基準タップを小さく設定して、変圧比を大きくする。
【００１３】
そこで、ノード４における電圧降下の最大値ΔＶｍａｘ、最小値ΔＶｍｉｎ及び基準タップから、各ノードにおける適正電圧範囲（上限値及び下限値）を計算する。そして、送出し電圧と各ノード負荷による各ノードの高圧配電線電圧の推定結果が適正電圧範囲に含まれるか否かを判定し、その判定結果を記録する。以上によれば、配電用変電所２からの送出し電圧、高圧配電線３上のノード４及び変圧器５の基準タップの３つのパラメータの各組み合わせについて、当該ノード４において適正電圧を確保できるか否かが明らかになる。
【００１４】
図１（ｂ）は、１９時〜２０時の高圧配電線の電圧変動を示すグラフである。このグラフは、高圧配電線３における電圧降下幅を基に計算した、ノード４及び変圧器５の基準タップごとの適正電圧範囲を示すとともに、配電用変電所２からの送出し電圧ごとに電力系統の潮流計算を行うことによって求めた高圧配電線３における電圧変動を示したものである。なお、適正電圧範囲の計算の詳細は、後記する。
【００１５】
≪適正電圧管理方法の詳細≫
図２は、適正電圧管理方法の詳細な手順を示すフローチャートである。本実施形態の記載上は、適正電圧管理方法を主に人による運用方法として説明するが、コンピュータシステムによって実現することも可能である。
【００１６】
初めに、適正電圧管理方法を実施する上で前提となる解析条件を設定する（Ｓ２０１）。例えば、低圧配電線６の亘長や、低圧配電線６から低電圧の電力を受ける需要家の負荷の仕様等を設定する。次に、Ｓ２０２〜Ｓ２１０の手順は、１時間ごと（０〜１時、１〜２時、２〜３時、・・・、２３〜２４時のいずれか一つの時間帯）の高圧配電線３の電圧変動に関して行われる。まず、各ノード４における当該時間帯の電圧降下幅を計算する（Ｓ２０２）。これは、当該変圧器５から低電圧の電力を受ける複数の需要家において、当該変圧器から需要家までの電圧降下幅が最も大きい最大電圧降下幅ΔＶｍａｘ及び最も小さい最小電圧降下幅ΔＶｍｉｎを計算するものである。この場合、負荷予測（例えば、特許文献１に記載の「負荷想定」）によって各需要家の負荷を想定するのが望ましいが、負荷予測が困難な場合には、契約種別及び電力使用量の実績値（例えば、顧客台帳や線路台帳等のデータ）によりモデルを作成し、計算してもよい。これによれば、ノード４の配下にある需要家の位置等を考慮した日負荷データの変動を新たにパラメータとすることにより、各ノード４の適正電圧範囲が適切に設定可能となる。
【００１７】
Ｓ２０３〜Ｓ２０９の手順は、配電用変電所２からの送出し電圧、高圧配電線３上のノード４及び変圧器５の基準タップの３つのパラメータを変えながら、各パラメータの組み合わせの下で、各ノードの高圧配電線電圧の推定結果が適正電圧範囲内にあるか否かを判定し、その判定結果を記録するものである。まず、送出し電圧を設定する（Ｓ２０３）。送出し電圧は、配電用変電所２によって供給される電圧であり、例えば、６８１０、６７２０、６６００、・・・［Ｖ］のような離散した値をとる。その中の１つの値をパラメータとして設定する。次に、ノード４を設定する（Ｓ２０４）。具体的には、ノード番号を設定するのであるが、結果的には、当該ノード番号のノード４における最大電圧降下幅ΔＶｍａｘ及び最小電圧降下幅ΔＶｍｉｎ（Ｓ２０２の計算結果）を特定することになる。続いて、基準タップを設定する（Ｓ２０５）。基準タップは、変圧器１３に備わるタップによって調整できる１次側の基準タップ電圧であり、例えば、６７５０、６６００、６４５０、６３００［Ｖ］のような離散した値をとる。その中の１つの値をパラメータとして設定する。
【００１８】
そして、適正電圧範囲について判定及び記録を行う（Ｓ２０６）。具体的には、まず、設定したノード４における最大電圧降下幅ΔＶｍａｘ、最小電圧降下幅ΔＶｍｉｎ及び設定した基準タップ（Ｔｒタップ）から、次の式１及び式２を用いて適正電圧の上限値ＶＨ及び下限値ＶＬを計算する。式１及び式２では、特に、ΔＶｍａｘ＝８．２［Ｖ］、ΔＶｍｉｎ＝０．２［Ｖ］及びＴｒタップ＝６６００［Ｖ］の場合の具体値を含めて示している。
【数１】
0004954098.tif 000002
【数２】
0004954098.tif 000003
【００１９】
ここで、１０５［Ｖ］は、変圧器５における低圧配電線６側（２次側）の定格電圧である。１０７［Ｖ］は、ノード４から変圧器５を介して低圧配電線６に接続される需要家において最も電圧降下幅の小さい需要家の負荷に供給すべき電圧である。９５［Ｖ］は、ノード４から変圧器５を介して低圧配電線６に接続される需要家において最も電圧降下幅の大きい需要家の負荷に供給すべき電圧である。Ｔｒタップ［Ｖ］は、低圧配電線６側（２次側）の定格電圧に対する変圧器５における高圧配電線３側（１次側）の基準タップ電圧である。従って、「１０７＋ΔＶｍｉｎ」が変圧器５の２次側電圧の最大値になる。また、「９５＋ΔＶｍａｘ」が変圧器５の２次側電圧の最小値になる。そして、２次側電圧の最大値及び最小値に、１次側の基準タップ電圧と２次側の定格電圧との比をかければ、１次側の電圧、すなわち、各ノードにおける適正電圧範囲の上限値ＶＨ及び下限値ＶＬを求めることができる。
【００２０】
続いて、Ｓ２０３で設定した送出し電圧と各ノード負荷による各ノードの高圧配電線電圧の推定結果が各ノードの適正電圧範囲に含まれるか否かを判定し、その判定結果を記録する。図３は、送出し電圧、ノード番号及び基準タップの各組み合わせについて適正電圧となるか否かの判定結果（○又は×）を例示する図である。左側縦方向の欄には、送出し電圧が順に示され、上側横方向の欄には、ノード番号ごとに基準タップが順に示されている。そして、送出し電圧及びノード番号ごとに高圧配電線電圧の推定結果が示され、さらに基準タップごとの適正電圧範囲（上限値及び下限値）並びに当該推定結果に対する判定結果が示されている。例えば、ノード番号１の基準タップ＝６７５０［Ｖ］の欄では、送出し電圧が６８１０［Ｖ］の場合は○（ＯＫ）になっていて、送出し電圧が６７８０、６６３０及び６６００［Ｖ］の場合は×（ＮＧ）になっている。
【００２１】
次に、Ｓ２０３で設定した送出し電圧及びＳ２０４で設定したノードに対して、すべての基準タップの判定が終了したか否かを確認する（Ｓ２０７）。すべての基準タップの判定が終了していなければ（Ｓ２０７のＮＯ）、基準タップ電圧の設定を更新して（Ｓ２０５）、適正電圧範囲の判定、記録を行う（Ｓ２０６）。すべての基準タップの判定が終了していれば（Ｓ２０７のＹＥＳ）、Ｓ２０３で設定した送出し電圧に対して、すべてのノード４の判定が終了したか否かを確認する（Ｓ２０８）。すべてのノード４の判定が終了していなければ（Ｓ２０８のＮＯ）、ノード４の設定を更新して（Ｓ２０４）、Ｓ２０５及びＳ２０６の手順を行う。すべてのノード４の判定が終了していれば（Ｓ２０８のＹＥＳ）、すべての送出し電圧の判定が終了したか否かを判定する（Ｓ２０９）。すべての送出し電圧の判定が終了していなければ（Ｓ２０９のＮＯ）、送出し電圧の設定を更新して（Ｓ２０３）、Ｓ２０４〜Ｓ２０６の手順を行う。
【００２２】
すべての送出し電圧の判定が終了していれば（Ｓ２０９のＹＥＳ）、判定結果を集約する（Ｓ２１０）。図３は、その判定結果を集約した一例であるということができる。この場合、各ノード（ノード番号）において、いずれかの基準タップ（複数可）で適正範囲内となったときの送出し電圧及び基準タップを○（ＯＫ）として記録する。そして、１日分の時間（２４時間）について判定結果の集約が済んだか否かをチェックする（Ｓ２１１）。ここで、１日分とは、ある１ヶ月のうち、代表となる日の２４時間分である。１日分の判定結果の集約が済んでいなければ（Ｓ２１１のＮＯ）、先に記録した送出し電圧及び基準タップの組み合わせの中で、未使用であり、不要なタップを削除する（Ｓ２１４）。例えば、図３では、ノード番号１の基準タップ＝６３００［Ｖ］、ノード番号２の基準タップ＝６７５０、６４５０及び６３００［Ｖ］並びにノード番号ｎの基準タップ＝６７５０及び６３００［Ｖ］は、適正電圧になることなく不要であるので、当該タップの欄を削除する。そして、次の時間についてＳ２０２〜Ｓ２１０の手順を行う。
【００２３】
１日分の判定結果の集約が済んでいれば（Ｓ２１１のＹＥＳ）、１年分の判定結果の集約が済んだか否かをチェックする（Ｓ２１２）。ここで、１年分とは、先の１日分を各月から抽出した１２ヶ月分（正確には、１２日分）のことである。１年分の判定結果の集約が済んでいなければ（Ｓ２１２のＮＯ）、次の月のうち、代表となる日の各時間についてＳ２０２〜Ｓ２１０の手順を行う。１年分の判定結果の集約が済んでいれば（Ｓ２１２のＹＥＳ）、解析結果を出力する（Ｓ２１３）。具体的には、最終的に残った各基準タップを、当該ノードにおける適正基準タップ（複数可）とし、その適正タップを基にして各時間帯の適正送出し電圧（複数可）を決定する。なお、配電用変電所２は、送出し電圧を時間ごとに変えることができる。また、最終的に残った各ノードにおける基準タップは、１年分の時間帯の全体を通じていずれかの送出し電圧による各ノードの到達電圧が当該ノードの適正電圧範囲内に含まれていると言える。
【００２４】
≪コンピュータを用いた実施形態≫
図２に示した手順は、人によって運用されるものとして記載したが、コンピュータによって実行されるようにしてもよい。図４は、コンピュータの構成を示す図である。コンピュータ９は、通信部９１、表示部９２、入力部９３、処理部９４及び記憶部９５を備える。通信部９１は、ネットワークを介して他の装置とＩＰ通信を行う部分であり、ＮＩＣ（Network Interface Card）等によって実現される。表示部９２は、処理部９４からの指示によりデータを表示する部分であり、例えば、液晶ディスプレイ（ＬＣＤ：Liquid Crystal Display）等によって実現される。入力部９３は、オペレータがデータ（例えば、解析条件）を入力する部分であり、キーボードやマウス等によって実現される。処理部９４は、各部間のデータの受け渡しを行うととともに、コンピュータ９全体の制御を行うものであり、ＣＰＵ（Central Processing Unit）が所定のメモリに格納されたプログラムを実行することによって実現される。記憶部９５は、処理部９４からデータを記憶したり、記憶したデータを読み出したりするものであり、フラッシュメモリやハードディスク装置等の不揮発性記憶装置によって実現される。なお、コンピュータ９は、スタンドアロンの装置（ＰＣ（Personal Computer）やサーバ等）であってもよいし、複数の装置がネットワークを介して通信可能となっているシステムであってもよい。
【００２５】
図２のフローチャートの各ステップの処理を、コンピュータ９が実行した場合における、各部の処理分担について説明する。まず、解析条件の設定（Ｓ２０１）では、通信部９１がネットワーク経由で、又は、入力部９３がオペレータの入力操作に伴って、解析条件データを取得し、処理部９４に受け渡す。処理部９４は、通信部９１又は入力部９３から解析条件データを受け付け、記憶部９５に記憶する。Ｓ２０２〜Ｓ２１２の処理である、適正電圧範囲についての判定、記録及び判定結果の集約は、処理部９４が記憶部９５に格納されたデータを参照、更新しながら処理する。解析結果の出力（Ｓ２１３）では、処理部９４が通信部９１からネットワーク上に解析結果データを送信するか、又は、表示部９２に解析結果データを表示するかである。なお、Ｓ２０２〜Ｓ２１３の各処理は、処理部９４を構成し、個々のステップ又は複数のステップに対応して分割されたモジュール（手段）によって実行されると考えてもよい。
【００２６】
以上本発明の実施の形態について説明したが、コンピュータによる実施形態では、図４に示すコンピュータ９内の各部を機能させるために、処理部９４で実行されるプログラムをコンピュータにより読み取り可能な記録媒体に記録し、その記録したプログラムをコンピュータに読み込ませ、実行させることにより、本発明の実施の形態に係る適正電圧管理システムが実現されるものとする。なお、プログラムをインターネット等のネットワーク経由でコンピュータに提供してもよいし、プログラムが書き込まれた半導体チップ等をコンピュータに組み込んでもよい。
【００２７】
以上説明した本発明の実施の形態によれば、各ノード４の配下にある変圧器５から低電圧の電力を受ける需要家の負荷までの低圧配電線６の亘長や、各変圧器５から電力供給を受ける所定時間帯の負荷の状況等を考慮して電圧降下幅の最大値及び最小値を計算し、それらの値に基づいて高圧配電線３側の適正電圧範囲を求め、その適正電圧範囲に配電用変電所２からの送出し電圧と各ノード負荷による各ノードの高圧配電線電圧の推定結果が含まれるか否かを判定する。これによれば、低圧配電線６の亘長やノード４から給電を受ける負荷の状況に応じて、適正に低圧配電線６の電圧管理を行うことができる。
【００２８】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【図面の簡単な説明】
【００２９】
【図１】適正電圧管理方法に係る配電系統の構成及び高圧配電線の電圧変動を示す図であり、（ａ）は配電系統の構成を示し、（ｂ）は１９時〜２０時の高圧配電線の電圧変動を示す。
【図２】適正電圧管理方法の詳細な手順を示すフローチャートである。
【図３】送出し電圧、ノード番号及び基準タップ電圧の各組み合わせについて適正電圧となるか否かの判定結果を例示する図である。
【図４】コンピュータの構成を示す図である。
【符号の説明】
【００３０】
１    配電系統
２    配電用変電所（変電所）
３    高圧配電線
４    ノード
５    変圧器
６    低圧配電線
９    コンピュータ（適正電圧管理システム）
９４  処理部
【図１】
0004954098.tif 000004
【図２】
0004954098.tif 000005
【図３】
0004954098.tif 000006
【図４】
0004954098.tif 000007